(57)【要約】【課題】品物の配置や収納位置を簡単且つ適切に確認可能とする。【解決手段】３次元表示領域７７には、押入や収納庫、或いはタンスなどの家具に、収納品が収められた様子を３次元的に表現するための画像が表示される。検索入力領域７８は、利用者端末の操作により収納品の名称を入力できるように設定されている。検索入力領域７８に入力された収納品の名称全体、或いはその名称の一部に基づいて、収納品に関するデータを抽出することができる。抽出されたデータに対応した収納品の収納位置を３次元表示領域７７に表示することで、利用者端末にて収納品の収納位置を簡単に確認することができる。また、収納品ダイアログ８０には、顧客が所有する収納品の名称が列挙して表示され、利用者端末の操作により収納品の名称が選択されると、３次元表示領域７７に、選択された収納品の収納位置が表示される。【選択図】　図６
2004005197.tif 000002
【特許請求の範囲】
【請求項１】
利用者端末にて表示される３次元画像により部屋の眺望を表現可能としたシミュレーションシステムであって、
部屋の間取りに関する情報を格納する空間構成情報格納手段と、
調度品に関する情報を格納する調度品情報格納手段と、
収納される品物である収納品に関する情報を格納する収納品情報格納手段と、前記利用者端末にて表示される３次元画像を提供する画像提供手段とを備え、前記画像提供手段は、前記利用者端末からの指令に従って、前記空間構成情報格納手段と前記調度品情報格納手段と前記収納品情報格納手段とから読み出した情報に基づいて作成した画像を前記利用者端末に提供することにより、調度品の配置と収納品の収納位置とを確認可能とした３次元画像を、前記利用者端末にて表示させる
ことを特徴とするシミュレーションシステム。
【請求項２】
調度品の設置位置を移動させる指令を前記利用者端末にて入力可能とした移動指令入力手段を備え、
前記画像提供手段は、前記移動指令入力手段により入力された指令に従って調度品の設置位置を移動させた３次元画像を、前記利用者端末にて表示させる
ことを特徴とする請求項１に記載のシミュレーションシステム。
【請求項３】
前記画像提供手段は、開口部から室内に入射する光の位置を示す画像を、前記利用者端末にて表示させる
ことを特徴とする請求項１又は２に記載のシミュレーションシステム。
【請求項４】
収納品を前記利用者端末にて選択可能とした収納品選択手段を備え、
前記画像提供手段は、前記収納品選択手段により選択された収納品に関する情報を前記収納品情報格納手段から抽出し、当該収納品が収納される位置を確認可能とした３次元画像を、前記利用者端末にて表示させる
ことを特徴とする請求項１、２又は３に記載のシミュレーションシステム。
【請求項５】
収納品の名称を前記利用者端末にて入力可能とした収納品名入力手段を備え、前記画像提供手段は、前記収納品名入力手段により入力された名称を含む収納品に関する情報を前記収納品情報手段から抽出し、当該収納品が収納される位置を確認可能とした３次元画像を、前記利用者端末にて表示させる
ことを特徴とする請求項１から４のいずれか１項に記載のシミュレーションシステム。
【請求項６】
事業者により販売される商品に関する情報を格納する商品情報格納手段と、
商品を前記利用者端末にて選択可能とした商品選択手段とを備え、
前記画像提供手段は、前記商品選択手段により選択された商品に関する情報を前記商品情報格納手段から抽出し、当該商品の設置位置或いは収納位置を確認可能とした３次元画像を、前記利用者端末にて表示させる
ことを特徴とする請求項１から５のいずれか１項に記載のシミュレーションシステム。
【請求項７】
事業者により販売される商品に関する情報を格納する商品情報格納手段と、
商品の名称を前記利用者端末にて入力可能とした商品名入力手段とを備え、
前記画像提供手段は、前記商品名入力手段により入力された名称を含む商品に関する情報を前記商品情報格納手段から抽出し、当該商品の設置位置或いは収納位置を確認可能とした３次元画像を、前記利用者端末にて表示させる
ことを特徴とする請求項１から５のいずれか１項に記載のシミュレーションシステム。
【請求項８】
部屋の間取りに関する情報を空間構成情報格納手段に格納し、
調度品に関する情報を調度品情報格納手段に格納し、
収納される品物である収納品に関する情報を収納品情報格納手段に格納し、
事業者により販売される商品に関する情報を商品情報格納手段に格納し、
調度品の設置位置を移動させる指令を前記利用者端末にて入力可能とし、
前記空間構成情報格納手段及び前記調度品情報格納手段に格納されている情報に基づき、前記利用者端末にて入力された指令に従って調度品の設置位置を移動させた３次元画像を、前記利用者端末にて表示させ、
収納品を前記利用者端末にて選択可能とし、
前記利用者端末により選択された収納品に関する情報を前記収納品情報格納手段から抽出して、当該収納品が収納される位置を確認可能とした３次元画像を、前記利用者端末にて表示させ、
商品を前記利用者端末にて選択可能とし、
前記利用者端末により選択された商品に関する情報を前記商品情報格納手段から抽出して、当該商品の設置位置或いは収納位置を確認可能とした３次元画像を、前記利用者端末にて表示させる
ことを特徴とするシミュレーション方法。
【請求項９】
さらに、
収納品の名称を前記利用者端末にて入力可能とし、
前記利用者端末により入力された名称を含む収納品に関する情報を前記収納品情報手段から抽出して、当該収納品が収納される位置を確認可能とした３次元画像を、前記利用者端末にて表示させ、
商品の名称を前記利用者端末にて入力可能とし、
前記利用者端末により入力された名称を含む商品に関する情報を前記商品情報格納手段から抽出して、当該商品の設置位置或いは収納位置を確認可能とした３次元画像を、前記利用者端末にて表示させる
ことを特徴とする請求項８に記載のシミュレーション方法。
【請求項１０】
コンピュータを、
部屋の間取りに関する情報を格納する空間構成情報格納手段と、
調度品に関する情報を格納する調度品情報格納手段と、
収納される品物である収納品に関する情報を格納する収納品情報格納手段と、
事業者により販売される商品に関する情報を格納する商品情報格納手段と、
利用者端末にて表示される３次元画像を提供する画像提供手段と、
調度品の設置位置を移動させる指令を前記利用者端末にて入力可能とした移動指令入力手段と、
収納品を前記利用者端末にて選択可能とした収納品選択手段と、
商品を前記利用者端末にて選択可能とした商品選択手段として機能させ、
前記画像提供手段は、前記移動指令入力手段により入力された指令に従って調度品の設置位置を移動させた３次元画像を前記利用者端末にて表示させ、前記収納品選択手段により選択された収納品に関する情報を前記収納品情報格納手段から抽出し、当該収納品が収納される位置を確認可能とした３次元画像を、前記利用者端末にて表示させ、前記商品選択手段により選択された商品に関する情報を前記商品情報格納手段から抽出し、当該商品の設置位置或いは収納位置を確認可能とした３次元画像を、前記利用者端末にて表示させる
ことを特徴とするプログラム。
【発明の詳細な説明】
【０００１】
【発明の属する技術分野】
この発明は、３次元画像を用いたシミュレーションシステムに係り、特に品物の配置や収納位置を確認可能とするシミュレーションシステムに関する。
【０００２】
【従来の技術】
電化製品や家具といった調度品を購入する際には、所望の位置に設置できるか否かを確認するために、調度品と設置予定場所の寸法を予め計測するなどして把握するようにしていた。こうした調度品の設置場所を確保できた場合であっても、さらに部屋の色調や他の調度品との調和を保つために、その調度品を設置したときの眺望を想像上で確認し、検討していた。また、調度品の配置を変更して部屋の模様替えを実施する場合には、実施後の部屋の様子や各調度品との調和を想像上で確認し、検討していた。
【０００３】
加えて、押入や収納庫、或いはタンスなどの家具に収納されることが予定されている品物である収納品は、購入する際に、その収納位置を予め特定しておくことが望ましい。
【０００４】
【発明が解決しようとする課題】
上記従来技術では、調度品を設置した場合の眺望を想像上で確認しなければならないため、実際に設置したときに想像と異なることも多かった。このため、一旦設置した調度品を再度移動させて適切な配置を決定しなければならないなど、多くの労力を要していた。
【０００５】
また、収納品については、その収納位置を購入前から確実に特定することが困難であった。このため、収納品を購入した後に適切な収納場所が見つからず、収納品の保管に支障をきたすことがあった。
【０００６】
この発明は、上記実状に鑑みてなされたものであり、品物の配置や収納場所を簡単且つ適切に確認可能とするシミュレーションシステムを、提供することを目的とする。
【０００７】
【課題を解決するための手段】
上記目的を達成するため、この発明の第１の観点に係るシミュレーションシステムは、
利用者端末にて表示される３次元画像により部屋の眺望を表現可能としたシミュレーションシステムであって、
部屋の間取りに関する情報を格納する空間構成情報格納手段と、
調度品に関する情報を格納する調度品情報格納手段と、
収納される品物である収納品に関する情報を格納する収納品情報格納手段と、前記利用者端末にて表示される３次元画像を提供する画像提供手段とを備え、前記画像提供手段は、前記利用者端末からの指令に従って、前記空間構成情報格納手段と前記調度品情報格納手段と前記収納品情報格納手段とから読み出した情報に基づいて作成した画像を前記利用者端末に提供することにより、調度品の配置と収納品の収納位置とを確認可能とした３次元画像を、前記利用者端末にて表示させる
ことを特徴とする。
【０００８】
この発明によれば、空間構成情報格納手段と調度品情報格納手段と収納品情報格納手段とから読み出した情報に基づいて作成された画像が利用者端末に提供されて、調度品の配置と収納品の収納位置とを確認可能とした３次元画像が表示される。
これにより、品物の配置や収納位置を簡単且つ適切に確認することができる。
【０００９】
調度品の設置位置を移動させる指令を前記利用者端末にて入力可能とした移動指令入力手段を備え、
前記画像提供手段は、前記移動指令入力手段により入力された指令に従って調度品の設置位置を移動させた３次元画像を、前記利用者端末にて表示させてもよい。
【００１０】
また、前記画像提供手段は、開口部から室内に入射する光の位置を示す画像を、前記利用者端末にて表示させてもよい。
【００１１】
さらに、収納品を前記利用者端末にて選択可能とした収納品選択手段を備え、前記画像提供手段は、前記収納品選択手段により選択された収納品に関する情報を前記収納品情報格納手段から抽出し、当該収納品が収納される位置を確認可能とした３次元画像を、前記利用者端末にて表示させてもよい。
【００１２】
収納品の名称を前記利用者端末にて入力可能とした収納品名入力手段を備え、前記画像提供手段は、前記収納品名入力手段により入力された名称を含む収納品に関する情報を前記収納品情報手段から抽出し、当該収納品が収納される位置を確認可能とした３次元画像を、前記利用者端末にて表示させてもよい。
【００１３】
事業者により販売される商品に関する情報を格納する商品情報格納手段と、
商品を前記利用者端末にて選択可能とした商品選択手段とを備え、
前記画像提供手段は、前記商品選択手段により選択された商品に関する情報を前記商品情報格納手段から抽出し、当該商品の設置位置或いは収納位置を確認可能とした３次元画像を、前記利用者端末にて表示させてもよい。
これにより、商品を購入する際に、その商品の設置位置や収納位置を予め簡単且つ適切に確認することができる。
【００１４】
事業者により販売される商品に関する情報を格納する商品情報格納手段と、
商品の名称を前記利用者端末にて入力可能とした商品名入力手段とを備え、
前記画像提供手段は、前記商品名入力手段により入力された名称を含む商品に関する情報を前記商品情報格納手段から抽出し、当該商品の設置位置或いは収納位置を確認可能とした３次元画像を、前記利用者端末にて表示させてもよい。
【００１５】
この発明の第２の観点に係るシミュレーション方法は、
部屋の間取りに関する情報を空間構成情報格納手段に格納し、
調度品に関する情報を調度品情報格納手段に格納し、
収納される品物である収納品に関する情報を収納品情報格納手段に格納し、
事業者により販売される商品に関する情報を商品情報格納手段に格納し、
調度品の設置位置を移動させる指令を前記利用者端末にて入力可能とし、
前記空間構成情報格納手段及び前記調度品情報格納手段に格納されている情報に基づき、前記利用者端末にて入力された指令に従って調度品の設置位置を移動させた３次元画像を、前記利用者端末にて表示させ、
収納品を前記利用者端末にて選択可能とし、
前記利用者端末により選択された収納品に関する情報を前記収納品情報格納手段から抽出して、当該収納品が収納される位置を確認可能とした３次元画像を、前記利用者端末にて表示させ、
商品を前記利用者端末にて選択可能とし、
前記利用者端末により選択された商品に関する情報を前記商品情報格納手段から抽出して、当該商品の設置位置或いは収納位置を確認可能とした３次元画像を、前記利用者端末にて表示させる
ことを特徴とする。
【００１６】
さらに、収納品の名称を前記利用者端末にて入力可能とし、
前記利用者端末により入力された名称を含む収納品に関する情報を前記収納品情報手段から抽出して、当該収納品が収納される位置を確認可能とした３次元画像を、前記利用者端末にて表示させ、
商品の名称を前記利用者端末にて入力可能とし、
前記利用者端末により入力された名称を含む商品に関する情報を前記商品情報格納手段から抽出して、当該商品の設置位置或いは収納位置を確認可能とした３次元画像を、前記利用者端末にて表示させてもよい。
【００１７】
この発明の第３の観点に係るプログラムは、
コンピュータを、
部屋の間取りに関する情報を格納する空間構成情報格納手段と、
調度品に関する情報を格納する調度品情報格納手段と、
収納される品物である収納品に関する情報を格納する収納品情報格納手段と、
事業者により販売される商品に関する情報を格納する商品情報格納手段と、
利用者端末にて表示される３次元画像を提供する画像提供手段と、
調度品の設置位置を移動させる指令を前記利用者端末にて入力可能とした移動指令入力手段と、
収納品を前記利用者端末にて選択可能とした収納品選択手段と、
商品を前記利用者端末にて選択可能とした商品選択手段として機能させ、
前記画像提供手段は、前記移動指令入力手段により入力された指令に従って調度品の設置位置を移動させた３次元画像を前記利用者端末にて表示させ、前記収納品選択手段により選択された収納品に関する情報を前記収納品情報格納手段から抽出し、当該収納品が収納される位置を確認可能とした３次元画像を、前記利用者端末にて表示させ、前記商品選択手段により選択された商品に関する情報を前記商品情報格納手段から抽出し、当該商品の設置位置或いは収納位置を確認可能とした３次元画像を、前記利用者端末にて表示させる
ことを特徴とする。
【００１８】
【発明の実施の形態】
以下に、図面を参照して、この発明の実施の形態に係るシミュレーションシステムについて詳細に説明する。
【００１９】
図１は、この発明の実施の形態に係るシミュレーションシステムの構成の一例を示す図である。
この構成例におけるシミュレーションシステムは、中央サーバ１００と、ネットワーク２００と、コンピュータ３００１〜３００ｎからなる複数の事業者端末３００と、ノートパソコン４００１やＰＤＡ（Ｐｅｒｓｏｎａｌ　Ｄｉｇｉｔａｌ　Ａｓｓｉｓｔａｎｔｓ）４００２及び携帯電話機４００ｎなどを含んだ複数の利用者端末４００とを備えて構成される。
【００２０】
中央サーバ１００は、例えばＣＰＵ（Ｃｅｎｔｒａｌ　Ｐｒｏｃｅｓｓｉｎｇ　Ｕｎｉｔ）や半導体メモリ、磁気ディスク記録装置などから構成され、管理センタなどに設置される情報処理システムである。
中央サーバ１００は、図１に例示するように、通信制御部１０と、空間構成データベース１１と、調度品データベース１２と、収納品データベース１３と、商品データベース１４と、登録処理部１５と、検索処理部１６と、３次元計算部１７と、表示画像作成部１８とを備えている。これらの構成は、例えば中央サーバ１００が備えるＣＰＵにより磁気ディスク記録装置から読み出された動作プログラムを実行するなどして実現される。
【００２１】
通信制御部１０は、ネットワーク２００を介して複数の事業者端末３００や複数の利用者端末４００との間で情報を送受信するためのものである。
【００２２】
空間構成データベース１１は、部屋、廊下、押入、収納庫などといった住居の構成部分についての空間構成データ５０を格納するためのものである。空間構成データ５０は、図２（ａ）に示すように、空間属性データ５１と、構成画像データ５２とを含んでいる。空間属性データ５１は、住居構成の種類（洋間／和室／キッチン／押入／収納庫／納戸など）や、寸法（縦／横／高さ）、色調、材質などを示すデータである。構成画像データ５２は、ＣＡＤデータ或いは撮影により取り込まれたデジタル画像などを利用して、住居の構成部分を３次元的に表示するためのデータである。
【００２３】
調度品データベース１２は、電化製品や家具などといった調度品についての調度品データ５３を格納するためのものである。調度品データ５３は、図２（ｂ）に示すように、調度品属性データ５４と、調度品画像データ５５とを含んでいる。調度品属性データ５４は、調度品の種類（冷蔵庫／テレビ／テーブル／洋タンス／和タンスなど）や、寸法、色調、材質などを示すデータである。調度品画像データ５５は、ＣＡＤデータ或いは撮影により取り込まれたデジタル画像などを利用して、調度品を３次元的に表示するためのデータである。
例えば、調度品画像データ５５は、各調度品の正面、背面、側面、上面、底面を撮影したデジタル画像を組み合わせることにより、調度品の３次元形状を示すデータとして構成される。調度品データベース１２は、検索処理部１６により調度品の名称などに基づいて調度品データ５３を検索できるように構成されている。
【００２４】
収納品データベース１３は、衣類やアクセサリー、書籍などといった各種の収納品についての収納品データ５６を格納するためのものである。収納品データ５６は、図２（ｃ）に示すように、収納品属性データ５７と、収納品画像データ５８とを含んでいる。収納品属性データ５７は、収納品の種類（衣類／アクセサリー／書籍など）、名称、寸法、色調、材質などを示すデータである。収納品画像データ５８は、各収納品の撮影により取り込まれたデジタル画像などを利用して、収納品が押入や収納庫などに収納されている状態を表示するためのデータである。収納品データベース１３は、検索処理部１６により収納品の名称などに基づいて収納品データ５６を検索できるように構成されている。
【００２５】
商品データベース１４は、通常の店舗で販売されている家具や電化製品、或いは衣類やアクセサリーなどの各種商品についての商品データ５９を格納するためのものである。商品データ５９は、図２（ｄ）に示すように、商品属性データ６０と、商品画像データ６１とを含んでいる。商品属性データ６０は、商品の種類や名称、寸法、色調、材質、価格などを示すデータである。商品画像データ６１は、ＣＡＤデータ或いは撮影により取り込まれたデジタル画像を利用して、商品を３次元的に表示するためのデータである。商品データベース１４は、検索処理部１６により商品の名称などに基づいて商品データ５９を検索できるように構成されている。
【００２６】
登録処理部１５は、各データベース１１〜１４に各種のデータを格納することにより、空間構成や調度品、収納品、商品に関する情報を登録するためのものである。
【００２７】
検索処理部１６は、利用者端末４００にて入力された調度品や収納品、商品の名称などに基づいて、調度品データベース１２や収納品データベース１３、商品データベース１４に格納されている各種のデータを検索するためのものである。
【００２８】
３次元計算部１７は、部屋の眺望や収納品の収納場所を利用者端末４００にて３次元的に表示可能とするために、３次元座標系におけるカメラ視点を仮定し、座標系とカメラ視点との関係から、各パーツ（建具、調度品、収納品など）の３次元位置を特定するための計算処理を実行する。
【００２９】
表示画像作成部１８は、各パーツを利用者端末４００にて３次元的に表示するために、構成画像データ５２、調度品画像データ５５、収納品画像データ５８、商品画像データ６１を読み出し、３次元計算部１７による計算結果に基づいて、読み出した各画像データを加工するためのものである。
【００３０】
ネットワーク２００は、例えば、ＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）、イントラネット、インターネット、公衆回線網、移動体通信網などといった通信網である。
【００３１】
複数の事業者端末３００は、商品を提供する事業者ごとに設置されたコンピュータシステムであり、各事業者により販売される商品に関する情報が入力される。各事業者端末３００にて入力された情報は、例えば商品データ５９として商品データベース１４に格納される。
【００３２】
複数の利用者端末４００は、例えばキーパッド等の入力装置や、ＬＣＤ（Ｌｉｑｕｉｄ　Ｃｒｙｓｔａｌ　Ｄｉｓｐｌａｙ）パネル等の表示装置、マイクロプロセッサ等の演算処理装置などを備えて構成される情報処理端末である。各利用者端末４００は、顧客の操作に対応する指令を入力し、ネットワーク２００を介して中央サーバ１００へ送るとともに、中央サーバ１００から発信された情報に従った画像を表示可能とする。
【００３３】
以下に、この発明の実施の形態に係るシミュレーションシステムの動作を説明する。このシミュレーションシステムは、顧客からの指令に従った部屋の見取り図を作成した上で室内に家具や電化製品などの調度品を配置し、押入や収納庫などに品物を収納した様子を３次元的に表示可能として、インテリアや収納に関するシミュレーションを実施することができるシステムである。
【００３４】
このシミュレーションシステムによりインテリアや収納に関するシミュレーションを実施する前提として、事業者から提供される各種のデータを登録する。例えば、中央サーバ１００において登録処理部１５は、通信制御部１０によりネットワーク２００を介して、事業者により販売される商品に関する情報を事業者端末３００から受け取り、商品データ５９として商品データベース１４に格納する。この際、デジタルカメラにて撮影された商品のデジタル画像が事業者端末３００から中央サーバ１００に送られる。商品のデジタル画像は、商品の正面、背面、側面、上面、底面を撮影したものを１組みとして構成されることが望ましい。しかしながら、このデジタル画像は、商品を正面から撮影したものだけでもよい。この場合、登録処理部１５は、商品の寸法に合わせ、正面と同じ色柄及び材質となるように他の面のデジタル画像を拡充して作成する。こうして登録処理部１５が取得或いは作成したデジタル画像は、商品画像データ６１として商品データ５９に含められる。
また、登録処理部１５は、商品の名称や寸法、価格、販売事業者名などを示す情報を事業者端末３００から受け取り、商品属性データ６０として商品データ５９を構成する。
商品データ５９を商品データベース１４に格納することで商品に関する情報が登録され、事業者から顧客に販売される商品について、利用者端末４００上でインテリアや収納スペースとの調和を確認可能なシミュレーションを実施することができる。
このほか、登録処理部１５は、事業者端末３００から送られたデータを、空間構成データベース１１などに格納して、顧客による利用者端末４００の操作に応じて、構成画像データ５２を選択可能に表示させてもよい。
【００３５】
利用者端末４００は、顧客の操作に応答し、ネットワーク２００を介して中央サーバ１００にアクセスすることにより、インテリアや収納に関するシミュレーションを実施するサービスの提供を開始する。例えば中央サーバ１００により提供されるＷｅｂサイトにアクセスすると、ユーザ登録やユーザ認証により顧客を特定した後、シミュレーションを実施するサービスの提供が開始される。
【００３６】
中央サーバ１００により提供されるサイトにおいて、顧客は自己の部屋の間取りを示すデータを、空間構成データ５０として登録することができる。例えば、利用者端末４００により入力された住居構成の種類（洋間／和室／押入／収納庫など）やその寸法、色柄などを示す情報に基づいて、登録処理部１５が空間構成データ５０を作成し、空間構成データベース１１に格納する。
【００３７】
或いは、顧客は利用者端末４００における表示指示に従って、既に空間構成データベース１１に格納されている空間構成データ５０のうちから、自己の部屋の間取りに見合ったものを選択するようにしてもよい。この場合、空間構成データベース１１には、予め事業者端末３００から送られたデータが空間構成データ５０として格納されている。利用者端末４００上には、顧客の選択操作に従って、構成画像データ５２に対応する画像が表示され、顧客の部屋の間取りに合致する空間構成データ５０が選択される。登録処理部１５は、利用者端末４００からの指令に従って選択した空間構成データ５０の組み合わせを、顧客ごとに識別可能として空間構成データベース１１に格納する。この際、利用者端末４００にて、空間構成データ５０を組み合わせた結果として作成された顧客の部屋を示す３次元画像を表示させ、部屋の方角や窓の位置など、顧客の部屋の構成を示すより詳細な情報を登録できるようにしてもよい。
【００３８】
加えて、利用者端末４００にて室内の立面図、平面図などを示す製図情報を入力し、登録処理部１５がこの製図情報に基づいて空間構成データ５０を組み合わせ、顧客の部屋の間取りを示す情報として空間構成データベース１１に格納してもよい。
【００３９】
また、中央サーバ１００により提供されるサイトにおいて、顧客は自己が所有する電化製品や家具などの調度品を示すデータを、調度品データ５３として登録することができる。この際、例えばデジタルカメラにて撮影された調度品のデジタル画像が利用者端末４００から中央サーバ１００に送られる。調度品のデジタル画像は、調度品の正面、背面、側面、上面、底面を撮影したものを１組みとして構成されることが望ましい。しかしながら、このデジタル画像は、調度品の正面を撮影したものだけでもよい。この場合、登録処理部１５は、商品画像データ６１の場合と同様にして、調度品画像データ５５を作成する。
加えて、登録処理部１５は、調度品の名称や寸法などを示す情報を利用者端末４００から受け取り、調度品属性データ５４として調度品データ５３を構成する。
【００４０】
さらに、中央サーバ１００により提供されるサイトにおいて、顧客は押入や収納庫、或いはタンスなどの家具に収納される収納品を示すデータを、収納品データ５６として登録することができる。例えば、デジタルカメラにて撮影された収納品のデジタル画像が利用者端末４００から中央サーバ１００に送られる。中央サーバ１００において登録処理部１５は、調度品画像データ５５の場合と同様にして収納品画像データ５８を作成する。
加えて、登録処理部１５は、収納品の名称や寸法などを示す情報を利用者端末４００から受け取り、収納品属性データ５７として収納品データ５６を構成する。
【００４１】
調度品や収納品に関する情報を登録する際には、利用者端末４００上に顧客の部屋及び調度品を示す３次元画像を表示させ、調度品の配置や収納品の収納位置についても登録できるようにしてもよい。
【００４２】
こうして各データベース１１〜１４に各種のデータが格納されると、利用者端末４００にて、顧客の部屋の構成や調度品の配置、収納品の収納位置などを確認できる３次元画像が表示可能となる。
図３〜８は、利用者端末４００にて表示される画像の具体例を示す図である。この例では、間取りタグＴ１と、調度品タグＴ２と、収納品タグＴ３と、商品購入タグＴ４が、利用者端末４００の操作により選択可能として表示される。
【００４３】
利用者端末４００の操作により間取りタグＴ１が選択された場合には、図３に示すように、例えば平面図表示領域７０と、建物パーツ表示領域７１と、平面／３Ｄ切替ボタン７２と、パーツ作成ボタン７３とを含んだ画像が、利用者端末４００にて表示される。
平面図表示領域７０は、建物パーツ表示領域７１にて選択された建物パーツを示す画像を組み合わせることにより、顧客の部屋の間取りを平面図として表示可能としている。建物パーツ表示領域７１は、洋間、和室、キッチン、リビング、廊下、ドア、押入、納戸等のパーツを、選択可能に表示する。顧客が利用者端末４００の操作により建物パーツ表示領域７１に表示されたパーツを選択することで、自己の部屋の間取りを手軽に入力できるようになっている。
【００４４】
利用者端末４００の操作により平面／３Ｄ切替ボタン７２の押下が命じられると、平面図表示領域７０の表示が切り替わり、平面図として表示されていた顧客の部屋が３次元画像として表示される。この際、３次元計算部１７は、平面図表示領域７０で表示していた顧客の部屋の平面図と、空間構成データベース１１に格納されている空間構成データ５０とに基づいて、各部屋を３次元的に表示するための計算処理を実行する。表示画像作成部１８は、３次元計算部１７の計算結果に基づいて構成画像データ５２を加工するなどして、利用者端末４００にて顧客の部屋を３次元的に表示可能とする。
【００４５】
パーツ作成ボタン７３は、建物パーツ表示領域７１に存在しないパーツの作成を命じるためのボタンであり、例えば利用者端末４００の画面上に新たなウィンドウを表示するなどして、建物パーツを示す画像を作成可能とする。
【００４６】
また、利用者端末４００の操作により調度品タグＴ２が選択された場合、図４及び図５に示すように、例えば３次元表示領域７４と、メッセージ表示領域７５と、調度品ダイアログ７６とを含んだ画像が、利用者端末４００にて表示される。
３次元表示領域７４には、所定のカメラ視点から室内を眺めた景色を３次元的に表現するための画像が表示される。このカメラ視点は、利用者端末４００の操作により移動可能としてもよい。カメラ視点を移動させる場合、３次元計算部１７が新たなカメラ視点に基づく各パーツの３次元配置を特定するための計算処理を実行する。表示画像作成部１８は、３次元計算部１７の計算結果に従った画像データを作成し、通信制御部１０によりネットワーク２００を介して利用者端末４００に提供する。
【００４７】
３次元表示領域７４において、調度品を示す画像の表示位置（図４にて破線を用いて示す）は、利用者端末４００の操作に応じて、室内を自由に移動できるように設定されている。ここで、調度品を配置する際には、例えば図５にハッチングを付して示すように、窓などの開口部から室内に入射する光（太陽光、街灯光、ネオン光など）の位置を表示するようにしてもよい。太陽光の位置を表示する場合、例えば太陽光が長時間当たる位置には調度品を配置できないように警告を発するなどの処理を実行してもよい。また、例えば季節による日当たりの変化を考慮して、１日の日当たりを、１時間ごとに入射する光の変化を推測して表示するようにしてもよい。さらに、日が当たる位置に調度品を配置した場合には、その調度品に日が当たる時間を計算してメッセージ表示領域７５に表示するようにしてもよい。
【００４８】
メッセージ表示領域７５には、調度品に関する情報や警告などを示すメッセージが表示される。例えば、図４に示す例では、メッセージ表示領域７５に、３次元表示領域７４にて表示されている部屋の名称「和室１」や、選択されている調度品の名称「洋タンス１」、及び、調度品の配置位置を示す「北東角より　東：０．０ｍ　南：０．０５ｍ」といったメッセージが表示されている。
また、調度品ダイアログ７６には、顧客が所有する調度品の名称が列挙して表示される。利用者端末４００の操作により、調度品ダイアログ７６に表示された調度品の名称が選択されると、選択された調度品の配置位置が３次元表示領域７４にて表示され、利用者端末４００にて配置位置が確認可能となる。
【００４９】
利用者端末４００の操作により収納品タグＴ３が選択された場合、図６に示すように、例えば３次元表示領域７７と、検索入力領域７８と、メッセージ表示領域７９と、収納品ダイアログ８０とを含んだ画像が、利用者端末４００にて表示される。
３次元表示領域７７には、押入や収納庫、或いはタンスなどの家具に、収納品が収められた様子を３次元的に表現するための画像が表示される。
【００５０】
各収納品の収納位置は、例えば収納品データ５６を品物の種類ごとに分類しておき、所定のアルゴリズムに基づいて、最適な収納場所を自動的に決定するようにしてもよい。一例として、収納される品物が衣類であるとする。この場合、着物については和タンス、コートについてはクローゼット、といったように、各衣類の種類に合わせて収納場所に優先順位をつけ、収納時の寸法や収納場所の空き状況を合わせて考慮することにより、最適な収納場所を決定する。
【００５１】
また、布団のように、圧縮するか否かによって容積が大きく変化する品物については、顧客が所有する調度品等に基づいて収納時の寸法を決定してもよい。例えば、検索処理部１６が調度品データベース１２を検索することにより、布団圧縮機に対応する調度品データ５３が検出されたか否かを判別する。布団圧縮機に対応する調度品データ５３が検出された場合、布団が圧縮された状態で収納されるものと考えられる。そこで、収納時の寸法として、圧縮された布団の大きさを採用し、収納場所の空き状況に合わせて最適な収納場所を決定する。
【００５２】
検索入力領域７８は、検索処理部１６が収納品データベース１３にて収納品データ５６を検索するために、利用者端末４００の操作により収納品の名称を入力できるように設定されている。検索処理部１６は、検索入力領域７８に入力された収納品の名称全体、或いはその名称の一部に基づいて、収納品データベース１３から、指定された収納品データ５６を抽出することができる。抽出された収納品データ５６に対応した収納品の収納位置を３次元表示領域７７に表示することで、利用者端末４００にて収納品の収納位置を簡単に確認することができる。
【００５３】
メッセージ表示領域７９には、収納品に関する情報を示すメッセージが表示される。例えば、図６に示す例では、メッセージ表示領域７９に、３次元表示領域７７にて表示されている収納場所「洋タンス１」や、既に収納されている収納品の名称「スーツ１　ネクタイ１〜５」、及び、収納場所の残容量を示す「あと１４着　収納可能」といったメッセージが表示されている。
また、収納品ダイアログ８０には、顧客が所有する収納品の名称が列挙して表示される。利用者端末４００の操作により、収納品ダイアログ８０に表示された収納品の名称が選択されると、３次元表示領域７７に、選択された収納品の収納位置が表示され、利用者端末４００にて収納位置が確認可能となる。
【００５４】
商品購入タグＴ４が選択された場合、図７及び図８に示すように、例えば３次元表示領域８１と、検索入力領域８２と、メッセージ表示領域８３と、商品画像表示領域８４とを含んだ画像が、利用者端末４００にて表示される。
３次元表示領域８１には、所定のカメラ視点から室内を眺めた景色、或いは押入や収納庫もしくはタンスなどの家具に収納品が収められた様子を、３次元的に表現するための画像が表示される。
【００５５】
検索入力領域８２は、検索処理部１６が商品データベース１４にて商品データ５９を検索するために、利用者端末４００の操作により商品の名称を入力できるように設定されている。検索処理部１６は、検索入力領域８２に入力された商品の名称全体、或いはその名称の一部に基づいて、商品データベース１４から、指定された商品データ５９を抽出することができる。メッセージ表示領域８３には、検索処理部１６が抽出した商品データ５９に含まれる商品属性データ６０に従って、商品の名称、販売事業者名、価格などの情報を示すメッセージが表示される。また、商品画像表示領域８４には、検索処理部１６が抽出した商品データ５９に含まれる商品画像データ６１に従って、商品を撮影したデジタル画像或いは商品をモデル化した画像が表示される。このようにして、事業者により販売される商品を、利用者端末４００の操作により選択することができる。
さらに、調度品ダイアログ７６や収納品ダイアログ８０と同様に、利用者端末４００の操作により商品を選択可能とした表示領域を設けてもよい。
利用者端末４００の操作により商品が選択されると、その商品の設置位置或いは収納位置が確認可能に表示される。
【００５６】
例えば図７に示すように、選択された商品が「カラーボックス赤」であったとする。この場合、図７にて破線を用いて示すように、選択された商品の設置位置が、利用者端末４００の操作により移動可能として表示される。なお、図７では破線を用いて示しているが、実際には、商品画像データ６１を用いて商品自体を示す画像を表示させてもよい。これにより、新たに購入される調度品について、部屋の色調との調和、寸法、他の家具との組み合わせなどを確認することができる。
【００５７】
他の一例として、図８に示すように、選択された商品が「春物スーツ３点セット」であったとする。この場合、図８にて破線を用いて示すように、選択された商品の収納位置が、利用者端末４００の操作により移動可能として表示される。この際、３次元計算部１７は、選択された商品に対応する商品属性データ６０から商品の寸法を特定し、また、空間構成データベース１１から読み出した空間属性データ５１或いは調度品データベース１２から読み出した調度品属性データ５４に基づいて、商品を収納可能な場所を探索する。３次元計算部１７の探索結果により、最適な収納位置が特定されると、表示画像作成部１８により作成された画像が利用者端末４００にて表示されることにより、その表示位置が顧客に通知される。最適な収納位置が見つからなかった場合には、例えばメッセージ表示領域８３に警告を示すメッセージが表示され、収納場所が確保されていない事実が顧客に通知される。
【００５８】
図９は、上述したシミュレーションシステムにより実行される処理を示すフローチャートである。
すなわち、このシミュレーションシステムにおいて、登録処理部１５が商品データベース１４に商品データ５９を格納することにより、商品に関する情報が登録される（ステップＳ１）。また、登録処理部１５が、空間構成データベース１１に空間構成データ５０を格納して顧客の部屋の間取りを登録し（ステップＳ２）、調度品データベース１２に調度品データ５３を格納することにより調度品に関する情報を登録する（ステップＳ３）。加えて、登録処理部１５が収納品データベース１３に収納品データ５６を格納することにより、収納品に関する情報を登録する（ステップＳ４）。こうして登録された各種のデータに基づいて、中央サーバ１００から利用者端末４００に画像情報を送って、シミュレーションを実施するための処理が実行される（ステップＳ５）。なお、これら各ステップの処理が実行される順番はこれに限定されるものではなく、シミュレーションを実施可能とするために、各ステップの処理を並行して、或いは任意の順番で繰り返し、実行してもよい。例えばステップＳ５の処理が実行されてシミュレーションを実施している最中に、ステップＳ４における収納品の登録が実行されてもよい。
【００５９】
以上説明したように、この発明によれば、調度品や収納品といった品物の配置や収納位置を３次元的に表示するための画像が利用者端末４００に提供され、顧客により確認可能に表示される。これにより、新たな品物を購入する際に、当該品物の配置や収納位置を予め簡単且つ適切に確認することができる。また、部屋の模様替えを実施する際にも、実施後の部屋の様子や各品物との調和を、予め簡単且つ適切に確認することができる。
さらに、この発明では、利用者端末４００の操作により収納品を選択することで、その収納位置を確認することができる。これにより、必要な品物を迅速且つ確実に見つけだすことができる。
【００６０】
この発明は上記実施の形態に限定されず、様々な変形及び応用が可能である。例えば、上記実施の形態では、中央サーバ１００が３次元計算部１７及び表示画像作成部１８を備えて、利用者端末４００が表示する画像を提供するものとして説明した。しかしながら、この発明はこれに限定されるものではなく、各利用者端末４００にて中央サーバ１００から提供される動作プログラムを実行することにより、３次元計算部１７や表示画像作成部１８と同等の機能を利用者端末４００に備え付けるようにしてもよい。
【００６１】
また、サーバやデータベースの構成は、任意に変更可能である。すなわち、中央サーバ１００は、協働して動作する複数台のサーバから構成されてもよい。加えて、データベースの構成も上記構成に限定されず、２以上のデータベースを統合してもよく、或いは、１つのデータベースを機能的に複数に分割してもよい。さらに、この発明に係るシミュレーションシステムは、ネットワークを介して通信可能な複数のコンピュータによって構成されるものに限定されず、スタンドアローンで動作する１台のコンピュータによって構成されてもよい。
【００６２】
コンピュータ又はコンピュータ群を、上述のシステムとして機能させ、或いは、上述の工程を実行させるために必要な動作プログラムの全部又は一部を、記録媒体（ＩＣメモリー、磁気ディスク、光ディスク、光磁気ディスク、磁気テープ）等に記録して配布・流通させてもよい。さらに、インターネット上のＦＴＰ（Ｆｉｌｅ　Ｔｒａｎｓｆｅｒ　Ｐｒｏｔｏｃｏｌ）サーバ等が有するファイルシステムに動作プログラムを格納しておき、コンピュータに、例えば搬送波に重畳して、ダウンロード等するようにしてもよい。
【００６３】
【発明の効果】
この発明によれば、調度品や収納品といった品物の配置や収納位置を簡単に確認することができる。
【図面の簡単な説明】
【図１】この発明の実施の形態に係るシミュレーションシステムの構成を示す図である。
【図２】（ａ）は空間構成データを示し、（ｂ）は調度品データを示し、（ｃ）は収納品データを示し、（ｄ）は商品データを示す図である。
【図３】利用者端末にて表示される画像の具体例を示す図である。
【図４】利用者端末にて表示される画像の具体例を示す図である。
【図５】利用者端末にて表示される画像の具体例を示す図である。
【図６】利用者端末にて表示される画像の具体例を示す図である。
【図７】利用者端末にて表示される画像の具体例を示す図である。
【図８】利用者端末にて表示される画像の具体例を示す図である。
【図９】この発明の実施の形態に係るシミュレーションシステムにより実行される処理を示すフローチャートである。
【符号の説明】
１０　　通信制御部
１１　　空間構成データベース
１２　　調度品データベース
１３　　収納品データベース
１４　　商品データベース
１５　　登録処理部
１６　　検索処理部
１７　　３次元計算部
１８　　表示画像作成部
１００　　中央サーバ
２００　　ネットワーク
３００　　事業者端末
４００　　利用者端末
【図１】
2004005197.tif 000003
【図２】
2004005197.tif 000004
【図３】
2004005197.tif 000005
【図４】
2004005197.tif 000006
【図５】
2004005197.tif 000007
【図６】
2004005197.tif 000008
【図７】
2004005197.tif 000009
【図８】
2004005197.tif 000010
【図９】
2004005197.tif 000011